(57)【要約】  本願はリソース選択方法、装置及びコンピュータ記憶媒体を提供し、前記方法は、第１アクセスリソースの補助情報を取得し、前記第１アクセスリソースが専用アクセスリソース及び共通アクセスリソースのうちの少なくとも１つを含み、前記補助情報が、前記端末装置のリソース選択を補助するために使用されることと、前記第１アクセスリソースの補助情報及び前記第１アクセスリソースのリソース評価情報に基づいて前記第１アクセスリソースからハンドオーバーを実行するための第２アクセスリソースを確定することと、を含む。
2020535671.tif 000002
【特許請求の範囲】
【請求項１】
端末装置に適用されるリソース選択方法であって、
第１アクセスリソースの補助情報を取得し、前記第１アクセスリソースが専用アクセスリソース及び共通アクセスリソースのうちの少なくとも１つを含み、前記補助情報が、前記端末装置のリソース選択を補助するために使用されることと、
前記第１アクセスリソースの補助情報及び前記第１アクセスリソースのリソース評価情報に基づいて前記第１アクセスリソースから第２アクセスリソースを確定し、前記第２アクセスリソースがハンドオーバーの実行に使用されることと、を含むことを特徴とする、前記リソース選択方法。
【請求項２】
各第１アクセスリソースのリソース評価情報はセル信号を受信するための最小閾値Ｑｒｘｌｅｖｍｉｎ及び最低品質値Ｑｑｕａｌｍｉｎのうちの少なくとも１つを含む
請求項１に記載の方法。
【請求項３】
前記補助情報は、
ハンドオーバー過程においてリソース選択を行うための閾値、
各第１アクセスリソースのＱｒｘｌｅｖｍｉｎ値に対応する第１オフセット値、及び
各第１アクセスリソースのＱｑｕａｌｍｉｎ値に対応する第２オフセット値のうちの少なくとも１つを含む
請求項２に記載の方法。
【請求項４】
前記第１アクセスリソースの補助情報を取得することは、
ネットワーク装置から送信された第１システム情報を受信することを含み、前記第１システム情報は前記第１アクセスリソースの補助情報を含み、更に、前記第１アクセスリソースのＱｒｘｌｅｖｍｉｎ値及び前記第１アクセスリソースのＱｑｕａｌｍｉｎ値のうちの少なくとも１つを含む
請求項２に記載の方法。
【請求項５】
前記補助情報が前記第１アクセスリソースの第１オフセット値及び前記第１アクセスリソースの第２オフセット値のうちの少なくとも１つを含む場合、前記第１アクセスリソースの補助情報を取得することは、
ネットワーク装置から送信された第１システム情報及び第２システム情報を受信することを含み、
前記第１システム情報が前記第１アクセスリソースのＱｒｘｌｅｖｍｉｎ値及びＱｑｕａｌｍｉｎ値のうちの少なくとも１つを含み、前記第２システム情報が前記第１アクセスリソースの補助情報を含む
請求項１〜３のいずれか１項に記載の方法。
【請求項６】
前記補助情報が前記第１アクセスリソースの第１オフセット値及び前記第１アクセスリソースの第２オフセット値のうちの少なくとも１つを含む場合、前記第１アクセスリソースの補助情報を取得することは、
前記端末装置の能力情報に基づいて各第１アクセスリソースのＱｒｘｌｅｖｍｉｎ値に対する第１オフセット値を確定すること、
前記端末装置の能力情報に基づいて各第１アクセスリソースのＱｑｕａｌｍｉｎ値に対する第２オフセット値を確定することのうちの少なくとも１つを含む
請求項１〜３のいずれか１項に記載の方法。
【請求項７】
前記補助情報が前記ハンドオーバー過程においてリソース選択を行うための閾値を含む場合、前記第１アクセスリソースの補助情報を取得することは、
前記補助情報を含む無線リソース制御（ＲＲＣ）専用シグナリングを受信することを含む
請求項１〜３のいずれか１項に記載の方法。
【請求項８】
前記第１アクセスリソースの補助情報及び前記第１アクセスリソースのリソース評価情報に基づいて前記第１アクセスリソースから第２アクセスリソースを確定することは、前記補助情報が前記第１アクセスリソースの第１オフセット値及び前記第１アクセスリソースの第２オフセット値のうちの少なくとも１つを含むことを確定することに応じて、
前記第１アクセスリソースのＱｒｘｌｅｖｍｉｎ値及び前記第１アクセスリソースの各Ｑｒｘｌｅｖｍｉｎ値に対応する第１オフセット値、並びに前記第１アクセスリソースのＱｑｕａｌｍｉｎ値及び前記第１アクセスリソースの各Ｑｑｕａｌｍｉｎ値に対応する第２オフセット値のうちの少なくとも１つに基づいて、前記第１アクセスリソースの品質評価パラメータを確定し、前記品質評価パラメータが前記第１アクセスリソースの品質を示すことと、
前記品質評価パラメータに基づいて前記第１アクセスリソースにおける品質の最適なリソースを前記第２アクセスリソースとして確定することと、を含む
請求項１〜３のいずれか１項に記載の方法。
【請求項９】
前記第１アクセスリソースの補助情報及び前記第１アクセスリソースのリソース評価情報に基づいて前記第１アクセスリソースから第２アクセスリソースを確定することは、前記補助情報が前記第１アクセスリソースの第１オフセット値及び前記第１アクセスリソースの第２オフセット値のうちの少なくとも１つと、前記ハンドオーバー過程においてリソース選択を行うための閾値とを含むことを確定することに応じて、
前記第１アクセスリソースのＱｒｘｌｅｖｍｉｎ値及び前記第１アクセスリソースの各Ｑｒｘｌｅｖｍｉｎ値に対応する第１オフセット値、並びに前記第１アクセスリソースのＱｑｕａｌｍｉｎ値及び前記第１アクセスリソースの各Ｑｑｕａｌｍｉｎ値に対応する第２オフセット値のうちの少なくとも１つに基づいて、前記第１アクセスリソースの品質評価パラメータを確定し、前記品質評価パラメータが第１アクセスリソースの品質を示すことと、
品質評価パラメータが前記閾値を超えるリソースを前記第２アクセスリソースとして確定することと、を含む
請求項１〜３のいずれか１項に記載の方法。
【請求項１０】
前記第１アクセスリソースの補助情報及び前記第１アクセスリソースのリソース評価情報に基づいて前記第１アクセスリソースから第２アクセスリソースを確定することは、前記補助情報が前記ハンドオーバー過程においてリソース選択を行うための閾値を含むことを確定することに応じて、
前記第１アクセスリソースのＱｒｘｌｅｖｍｉｎ値又は前記第１アクセスリソースのＱｑｕａｌｍｉｎ値を前記閾値と比較することと、
Ｑｒｘｌｅｖｍｉｎ値及び／又はＱｑｕａｌｍｉｎ値が前記閾値を超えるリソースを前記第２アクセスリソースとして確定することと、を含む
請求項１〜３のいずれか１項に記載の方法。
【請求項１１】
リソース選択方法であって、ネットワーク装置に適用され、
ハンドオーバー過程において端末装置へ第１アクセスリソースのリソース評価情報を送信し、前記第１アクセスリソースが専用アクセスリソース及び共通アクセスリソースのうちの少なくとも１つを含むことと、
前記端末装置へ前記第１アクセスリソースの補助情報を送信し、前記補助情報が、前記端末装置のリソース選択を補助するために使用されることと、を含むことを特徴とする、前記リソース選択方法。
【請求項１２】
各第１アクセスリソースのリソース評価情報はセル信号を受信するための最小閾値Ｑｒｘｌｅｖｍｉｎ及び最低品質値Ｑｑｕａｌｍｉｎのうちの少なくとも１つを含む
請求項１１に記載の方法。
【請求項１３】
前記補助情報は、
ハンドオーバー過程においてリソース選択を行うための閾値、
各第１アクセスリソースのＱｒｘｌｅｖｍｉｎ値に対応する第１オフセット値、及び
各第１アクセスリソースのＱｑｕａｌｍｉｎ値に対応する第２オフセット値のうちの少なくとも１つを含む
請求項１１に記載の方法。
【請求項１４】
前記端末装置へ前記第１アクセスリソースの補助情報を送信することは、
前記端末装置へ第１システム情報を送信することを含み、前記第１システム情報は前記第１アクセスリソースの補助情報を含み、更に、前記第１アクセスリソースのＱｒｘｌｅｖｍｉｎ値及び前記第１アクセスリソースのＱｑｕａｌｍｉｎ値のうちの少なくとも１つを含む
請求項１２に記載の方法。
【請求項１５】
前記補助情報が前記第１アクセスリソースの第１オフセット値及び前記第１アクセスリソースの第２オフセット値のうちの少なくとも１つを含むことを確定した場合、前記端末装置へ前記第１アクセスリソースの補助情報を送信することは、
前記端末装置へ第１システム情報及び第２システム情報を送信することを含み、
前記第１システム情報が前記第１アクセスリソースのＱｒｘｌｅｖｍｉｎ値及びＱｑｕａｌｍｉｎ値のうちの少なくとも１つを含み、前記第２システム情報が前記第１アクセスリソースの補助情報を含む
請求項１１〜１３のいずれか１項に記載の方法。
【請求項１６】
前記補助情報が前記ハンドオーバー過程においてリソース選択を行うための閾値を含むことを確定した場合、前記端末装置へ前記第１アクセスリソースの補助情報を送信することは、
前記端末装置へ前記補助情報を含む無線リソース制御（ＲＲＣ）専用シグナリングを送信することを含む
請求項１１〜１３のいずれか１項に記載の方法。
【請求項１７】
端末装置であって、
第１アクセスリソースの補助情報を取得するように構成され、前記第１アクセスリソースが専用アクセスリソース及び共通アクセスリソースのうちの少なくとも１つを含み、前記補助情報が、前記端末装置のリソース選択を補助するために使用される取得モジュールと、
前記第１アクセスリソースの補助情報及び前記第１アクセスリソースのリソース評価情報に基づいて前記第１アクセスリソースから第２アクセスリソースを確定するように構成され、前記第２アクセスリソースがハンドオーバーの実行に使用される確定モジュールと、を備えることを特徴とする、前記端末装置。
【請求項１８】
各第１アクセスリソースのリソース評価情報はセル信号を受信するための最小閾値Ｑｒｘｌｅｖｍｉｎ及び最低品質値Ｑｑｕａｌｍｉｎのうちの少なくとも１つを含む
請求項１７に記載の装置。
【請求項１９】
前記補助情報は、
ハンドオーバー過程においてリソース選択を行うための閾値、
各第１アクセスリソースのＱｒｘｌｅｖｍｉｎ値に対応する第１オフセット値、及び
各第１アクセスリソースのＱｑｕａｌｍｉｎ値に対応する第２オフセット値のうちの少なくとも１つを含む
請求項１８に記載の装置。
【請求項２０】
前記取得モジュールは、更に、
ネットワーク装置から送信された第１システム情報を受信するように構成され、前記第１システム情報は前記第１アクセスリソースの補助情報を含み、更に、前記第１アクセスリソースのＱｒｘｌｅｖｍｉｎ値及び前記第１アクセスリソースのＱｑｕａｌｍｉｎ値のうちの少なくとも１つを含む
請求項１８に記載の装置。
【請求項２１】
前記補助情報が前記第１アクセスリソースの第１オフセット値及び前記第１アクセスリソースの第２オフセット値のうちの少なくとも１つを含む場合、前記取得モジュールは、更に、ネットワーク装置から送信された第１システム情報及び第２システム情報を受信するように構成され、
前記第１システム情報が前記第１アクセスリソースのＱｒｘｌｅｖｍｉｎ値及びＱｑｕａｌｍｉｎ値のうちの少なくとも１つを含み、前記第２システム情報が前記第１アクセスリソースの補助情報を含む
請求項１７〜１９のいずれか１項に記載の装置。
【請求項２２】
前記補助情報が前記第１アクセスリソースの第１オフセット値及び前記第１アクセスリソースの第２オフセット値のうちの少なくとも１つを含む場合、前記取得モジュールは、更に、
前記端末装置の能力情報に基づいて各第１アクセスリソースのＱｒｘｌｅｖｍｉｎ値に対する第１オフセット値を確定すること、
前記端末装置の能力情報に基づいて各第１アクセスリソースのＱｑｕａｌｍｉｎ値に対する第２オフセット値を確定することのうちの少なくとも１つを実行するように構成される
請求項１７〜１９のいずれか１項に記載の装置。
【請求項２３】
前記補助情報が前記ハンドオーバー過程においてリソース選択を行うための閾値を含む場合、前記取得モジュールは、更に、
前記補助情報を含む無線リソース制御（ＲＲＣ）専用シグナリングを受信するように構成される
請求項１７〜１９のいずれか１項に記載の装置。
【請求項２４】
前記確定モジュールは、更に、前記補助情報が前記第１アクセスリソースの第１オフセット値及び前記第１アクセスリソースの第２オフセット値のうちの少なくとも１つを含むことを確定することに応じて、
前記第１アクセスリソースのＱｒｘｌｅｖｍｉｎ値及び前記第１アクセスリソースの各Ｑｒｘｌｅｖｍｉｎ値に対応する第１オフセット値、並びに前記第１アクセスリソースのＱｑｕａｌｍｉｎ値及び前記第１アクセスリソースの各Ｑｑｕａｌｍｉｎ値に対応する第２オフセット値のうちの少なくとも１つに基づいて、前記第１アクセスリソースの品質評価パラメータを確定し、前記品質評価パラメータが前記第１アクセスリソースの品質を示し、
前記品質評価パラメータに基づいて前記第１アクセスリソースにおける品質の最適なリソースを前記第２アクセスリソースとして確定するように構成される
請求項１７〜１９のいずれか１項に記載の装置。
【請求項２５】
前記確定モジュールは、更に、前記補助情報が前記第１アクセスリソースの第１オフセット値及び前記第１アクセスリソースの第２オフセット値のうちの少なくとも１つと、前記ハンドオーバー過程においてリソース選択を行うための閾値とを含むことを確定することに応じて、
前記第１アクセスリソースのＱｒｘｌｅｖｍｉｎ値及び前記第１アクセスリソースの各Ｑｒｘｌｅｖｍｉｎ値に対応する第１オフセット値、並びに前記第１アクセスリソースのＱｑｕａｌｍｉｎ値及び前記第１アクセスリソースの各Ｑｑｕａｌｍｉｎ値に対応する第２オフセット値のうちの少なくとも１つに基づいて、前記第１アクセスリソースの品質評価パラメータを確定し、前記品質評価パラメータが第１アクセスリソースの品質を示し、
品質評価パラメータが前記閾値を超えるリソースを前記第２アクセスリソースとして確定するように構成される
請求項１７〜１９のいずれか１項に記載の装置。
【請求項２６】
前記確定モジュールは、更に、前記補助情報が前記ハンドオーバー過程においてリソース選択を行うための閾値を含むことを確定することに応じて、
前記第１アクセスリソースのＱｒｘｌｅｖｍｉｎ値又は前記第１アクセスリソースのＱｑｕａｌｍｉｎ値を前記閾値と比較し、
Ｑｒｘｌｅｖｍｉｎ値及び／又はＱｑｕａｌｍｉｎ値が前記閾値を超えるリソースを前記第２アクセスリソースとして確定するように構成される
請求項１７〜１９のいずれか１項に記載の装置。
【請求項２７】
ネットワーク装置であって、
ハンドオーバー過程において端末装置へ第１アクセスリソースのリソース評価情報を送信するように構成され、前記第１アクセスリソースが専用アクセスリソース及び共通アクセスリソースのうちの少なくとも１つを含む第１送信モジュールと、
前記端末装置へ前記第１アクセスリソースの補助情報を送信するように構成され、前記補助情報が、前記端末装置のリソース選択を補助するために使用される第２送信モジュールと、を備えることを特徴とする、前記ネットワーク装置。
【請求項２８】
各第１アクセスリソースのリソース評価情報はセル信号を受信するための最小閾値Ｑｒｘｌｅｖｍｉｎ及び最低品質値Ｑｑｕａｌｍｉｎのうちの少なくとも１つを含む
請求項２７に記載の装置。
【請求項２９】
前記補助情報は、
ハンドオーバー過程においてリソース選択を行うための閾値、
各第１アクセスリソースのＱｒｘｌｅｖｍｉｎ値に対応する第１オフセット値、及び
各第１アクセスリソースのＱｑｕａｌｍｉｎ値に対応する第２オフセット値のうちの少なくとも１つを含む
請求項２７に記載の装置。
【請求項３０】
前記第２送信モジュールは、更に、
前記端末装置へ第１システム情報を送信するように構成され、前記第１システム情報は前記第１アクセスリソースの補助情報を含み、更に、前記第１アクセスリソースのＱｒｘｌｅｖｍｉｎ値及び前記第１アクセスリソースのＱｑｕａｌｍｉｎ値のうちの少なくとも１つを含む
請求項２８に記載のネットワーク装置。
【請求項３１】
前記補助情報が前記第１アクセスリソースの第１オフセット値及び前記第１アクセスリソースの第２オフセット値のうちの少なくとも１つを含む場合、前記第２送信モジュールは、更に、前記端末装置へ第１システム情報及び第２システム情報を送信するように構成され、
前記第１システム情報が前記第１アクセスリソースのＱｒｘｌｅｖｍｉｎ値及びＱｑｕａｌｍｉｎ値のうちの少なくとも１つを含み、前記第２システム情報が前記第１アクセスリソースの補助情報を含む
請求項２７〜２９のいずれか１項に記載の装置。
【請求項３２】
前記補助情報が前記ハンドオーバー過程においてリソース選択を行うための閾値を含む場合、前記第２送信モジュールは、更に、
前記端末装置へ前記補助情報を含む無線リソース制御（ＲＲＣ）専用シグナリングを送信するように構成される
請求項２７〜２９のいずれか１項に記載の装置。
【請求項３３】
端末装置であって、
メモリと、
前記メモリに記憶されるコンピュータプログラムを実行することにより、前記端末装置が請求項１〜１０のいずれか１項に記載の方法を実行するように構成されるプロセッサと、を備える、前記端末装置。
【請求項３４】
ネットワーク装置であって、
メモリと、
前記メモリに記憶されるコンピュータプログラムを実行することにより、前記ネットワーク装置が請求項１１〜１６のいずれか１項に記載の方法を実行するように構成されるプロセッサと、を備える、前記ネットワーク装置。
【請求項３５】
コンピュータ記憶媒体であって、
前記コンピュータ記憶媒体にプログラムが記憶され、前記プログラムが１つ又は複数のプロセッサにより実行されるとき、請求項１〜１６のいずれか１項に記載の方法を実現する、前記コンピュータ記憶媒体。
【発明の詳細な説明】
【技術分野】
【０００１】
本願の実施例は無線通信分野に関し、特にリソース選択方法、装置及びコンピュータ記憶媒体に関する。
【背景技術】
【０００２】
従来のセルラー移動通信システムにおいて、端末装置のハンドオーバー過程とは、一般的に端末装置がサービスネットワークノードの提供する無線リソースを解放して、新しいターゲットネットワークノードから新しい無線リソースを割り当てることを意味する。端末装置はターゲットネットワークノードから割り当てられた新しい無線リソースを使用できることになる前に、ターゲットネットワークノードとの同期及びランダムアクセス過程を実行する必要がある。前記過程は競争に基づくものであってもよいし、非競争に基づくものであってもよく、それは共通ランダムアクセスチャネル（ＲＡＣＨ：Ｒａｎｄｏｍ  Ａｃｃｅｓｓ  Ｃｈａｎｎｅｌ）又は専用ＲＡＣＨが前記過程に使用されるかどうかによって決定される。
【０００３】
競争に基づくランダムアクセス過程においては、複数のユーザー装置（ＵＥ）は同じＰＲＡＣＨリソースを選択してアクセスし得る。この場合、複数のＵＥが同じＰＲＡＣＨリソースを使用してアクセスすることを試みした場合、１つのＵＥしかアクセスに成功しないが、他のＵＥが新しいリソースを選択して再びアクセスしてみる必要がある。非競争に基づくランダムアクセス過程においては、アクセス待ちのＵＥが選択させるために、ターゲットネットワークノードは複数の専用ＰＲＡＣＨリソースを提供することができる。
【０００４】
通信技術の発展に伴い、第５世代移動通信システム（５Ｇ：５ｔｈ  Ｇｅｎｅｒａｔｉｏｎ）の研究が既に行われている。５Ｇの無線アクセスがＮｅｗ  Ｒａｄｉｏと称され、前記Ｎｅｗ  ＲａｄｉｏがＮＲと略称される。ＮＲシステムにおいて、ハンドオーバー過程に必要なＰＲＡＣＨリソースがセルレベルだけではなく、ビームレベルでも提供されることもできる。従って、粒度がますます小さくなる場合、どのようにハンドオーバー過程において最適なビームリソースを選択してアクセスするかは現在解決すべき問題の１つである。
【発明の概要】
【発明が解決しようとする課題】
【０００５】
本願の実施例は端末装置がハンドオーバー過程において最適なビームリソースを選択してアクセスすることのできるリソース選択方法、装置及びコンピュータ記憶媒体を提供する。
【課題を解決するための手段】
【０００６】
本発明の第１態様はリソース選択方法を提供する。前記方法は端末装置に適用されてもよく、且つ以下の操作を含む。第１アクセスリソースの補助情報を取得し、前記第１アクセスリソースが専用アクセスリソース及び共通アクセスリソースのうちの少なくとも１つを含み、前記補助情報が、前記端末装置のリソース選択を補助するために使用される。前記第１アクセスリソースの補助情報及び前記第１アクセスリソースのリソース評価情報に基づいて前記第１アクセスリソースから第２アクセスリソースを確定し、前記第２アクセスリソースがハンドオーバーの実行に使用される。
【０００７】
本発明の第２態様はリソース選択方法を提供する。前記方法はネットワーク装置に適用されてもよく、且つ以下の操作を含む。ハンドオーバー過程において端末装置へ第１アクセスリソースのリソース評価情報を送信し、前記第１アクセスリソースが専用アクセスリソース及び共通アクセスリソースのうちの少なくとも１つを含む。前記端末装置へ第１アクセスリソースの補助情報を送信し、前記補助情報が、前記端末装置のリソース選択を補助するために使用される。
【０００８】
本発明の第３態様は端末装置を提供し、前記端末装置は上記第１態様におけるリソース選択方法を実行するように構成される。具体的に、前記端末装置は上記第１態様におけるリソース選択方法を実行するためのモジュールを備える。
【０００９】
本発明の第４態様はネットワーク装置を提供し、前記ネットワーク装置は上記第２態様におけるリソース選択方法を実行するように構成される。具体的に、前記端末装置は上記第２態様におけるリソース選択方法を実行するためのモジュールを備える。
【００１０】
本発明の第５態様は端末装置を提供し、前記端末装置はメモリ及びプロセッサを備える。前記プロセッサは前記メモリに記憶されるコンピュータプログラムを実行するように構成される。前記プロセッサが前記メモリに記憶されるコンピュータプログラムを実行するとき、前記実行によって前記プロセッサが第１態様におけるリソース選択方法を実行する。
【００１１】
本発明の第６態様はネットワーク装置を提供し、前記ネットワーク装置はメモリ及びプロセッサを備える。前記プロセッサは前記メモリに記憶されるコンピュータプログラムを実行するように構成される。前記プロセッサが前記メモリに記憶されるコンピュータプログラムを実行するとき、前記実行によって前記プロセッサが第２態様におけるリソース選択方法を実行する。
【００１２】
本発明の第７態様はコンピュータ記憶媒体を提供し、前記コンピュータ記憶媒体にプログラムが記憶され。前記プログラムが１つ又は複数のプロセッサにより実行されてもよく、前記実行によって前記プロセッサが第１態様及び第２態様におけるリソース選択方法を実行する。
【発明の効果】
【００１３】
本願はリソース選択方法、装置及びコンピュータ記憶媒体を提供する。本願の技術案によれば、端末装置は補助情報及び既存のリソース評価情報に基づいて品質評価を行うことができ、それによりハンドオーバー過程に適用するアクセスリソースを選択し、これにより、端末装置がハンドオーバー過程において最適なビームリソースを選択してアクセスする。
【図面の簡単な説明】
【００１４】
【図１】図１は本願の実施例に係る無線通信システムの構造模式図である。
【図２】図２は本願の実施例に係るリソース選択方法のフローチャートである。
【図３】図３は本願の実施例に係るリソース選択方法の他のフローチャートである。
【図４】図４は本願の実施例に係るリソース選択方法を実現するフローチャートである。
【図５】図５は本願の実施例に係る端末装置のブロック図である。
【図６】図６は本願の実施例に係る端末装置のハードウェアコンポーネントの模式図である。
【図７】図７は本願の実施例に係るネットワーク装置のブロック図である。
【図８】図８は本願の実施例に係るネットワーク装置のハードウェアコンポーネントの模式図である。
【発明を実施するための形態】
【００１５】
本願の実施例の技術案をより明確に説明するために、以下に実施例又は関連技術の記述において必要な図面を用いて簡単に説明を行う。当然ながら、以下に記載する図面は単に本願の実施例の一例であって、当業者であれば、創造的な労力を要することなく、これらの図面に基づいて他の図面に想到しうる。
【００１６】
本願の実施例の特徴及び技術案をより詳しく理解するために、以下に図面を参照しながら本願の実施例の実現を明確且つ完全に説明する。図面は説明のためのものであって、本願の実施例を制限するためのものではない。
【００１７】
図１には無線通信システム１００の模式的な構造を示す。具体的に、前記無線通信システム１００はモバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステム等であってもよい。
【００１８】
前記無線通信システム１００は基地局（又は、セル）１０５、端末装置１１５及びコアネットワーク１３０を備えてもよい。基地局１０５は基地局制御装置１２０の制御下で端末装置１１５（本明細書では、一般的にユーザー装置（ＵＥ：Ｕｓｅｒ  Ｅｑｕｉｐｍｅｎｔ）と称される）と通信することができる。各実施例において、前記基地局制御装置１２０はコアネットワーク１３０の一部又は基地局１０５の一部であってもよい。いくつかの場合には、基地局制御装置１２０はコアネットワーク１３０と１つ又は複数の基地局１０５との間に位置してもよい。制御情報及び／又はユーザーデータを伝送するために、基地局１０５はバックホールリンク１３２を介してコアネットワーク１３０と通信することができる。バックホールリンクは有線バックホールリンク（例えば、銅、光ファイバー等）であってもよいし、無線バックホールリンク（例えば、マイクロ波等）であってもよい。本願の実施例において、基地局１０５はバックホールリンク１３４を介して直接又は間接的に互いに通信することができ、前記バックホールリンク１３４が有線通信リンク又は無線通信リンクであってもよい。
【００１９】
基地局１０５は更に１つ又は複数の基地局アンテナによって端末装置１１５と無線通信することができる。各基地局１０５はいずれもそれぞれの地理的領域１１０に通信カバレッジを提供することができる。本願のいくつかの実施例において、基地局１０５は基地局送受信ステーション、無線基地局、アクセスポイント、無線送受信機、基本サービスセット（ＢＢＳ：ｂａｓｉｃ  ｓｅｒｖｉｃｅ  ｓｅｔ）、拡張サービスセット（ＥＳＳ：ｅｘｔｅｎｄｅｄ  ｓｅｒｖｉｃｅ  ｓｅｔ）、ノードＢ、発展型ノードＢ（ｅＮＢ）、ホームノードＢ、ホーム発展型ノードＢ、５ＧノードｇＮＢ又はいくつかの他の適切な用語と称されてもよい。基地局のカバレッジ領域１１０を、前記カバレッジ領域の一部のみを構成するセクタ（図示せず）に分割してもよい。システム１００は異なるタイプの基地局１０５、例えばマクロ基地局、マイクロ基地局又はピコ基地局を含んでもよい。異なる技術に対して重複したカバレッジ領域があってもよい。いくつかの実施例において、システム１００は異なる無線アクセス技術、例えば３Ｇ（例えば、ＵＭＴＳ）無線アクセス技術（ＲＡＴ：ｒａｄｉｏ  ａｃｃｅｓｓ  ｔｅｃｈｎｏｌｏｇｙ）及び４Ｇ（例えば、ＬＴＥ）ＲＡＴを含んでもよい。他の例は２Ｇ（例えば、ＧＳＭ）ＲＡＴ又は５Ｇ（例えば、ＬＴＥバージョン１１、更新バージョン及びＮＲ）ＲＡＴを含んでもよい。これらの異なるＲＡＴの異なる基地局を利用してもよく又はセル１０５のカバレッジ領域が重複してもよい。ＵＥ  １１５が無線ネットワーク１００にわたって散布し、且つ各ＵＥがいずれも固定又は可動であってもよい。ＵＥ  １１５は更に移動局、加入者局、移動体ユニット、加入者ユニット、無線ユニット、遠隔ユニット、携帯機器、無線装置、無線通信装置、遠隔装置、モバイル加入者局、アクセス端末、携帯端末、無線端末、遠隔端末、携帯電話、ユーザーエージェント、モバイルクライアント、クライアント又はいくつかの他の適切な用語と称されてもよい。ＵＥ  １１５はセルラー方式の電話、パーソナルデジタルアシスタント（ＰＤＡ：ｐｅｒｓｏｎａｌ  ｄｉｇｉｔａｌ  ａｓｓｉｓｔａｎｔ）、無線モデム、無線通信装置、携帯端末、タブレットＰＣ、ラップトップコンピュータ、コードレスホン、ワイヤレスローカルループ（ＷＬＬ：ｗｉｒｅｌｅｓｓ  ｌｏｃａｌ  ｌｏｏｐ）
局、無線通信機能を有する携帯端末、コンピューティングデバイス又は無線モデムに接続される他の処理装置、車載装置、ウェアラブル端末、将来の５Ｇネットワークにおける端末装置等であってもよい。ＵＥ  １１５は一般的に異なる基地局１０５と通信することができる。異なる基地局１０５は異なる無線アクセス技術（例えば、２Ｇ、３Ｇ、４Ｇ、及び／又は５Ｇ  ＮＲ  ＲＡＴ）を利用できる基地局又はセル１０５を含んでもよい。
【００２０】
図１に示すように、基地局１０５は少なくとも２つの基地局１０５−ａ及び１０５−ｂを含んでもよい。基地局１０５−ａ及び１０５−ｂがバックホールリンク１３２を介してコアネットワーク１３０−ａに接続されてもよく、且つ基地局１０５−ａ及び１０５−ｂが更にバックホールリンク１３４を介して互いに接続されてもよい。基地局１０５−ａ及び基地局１０５−ｂはそれぞれの地理的領域１１０−ａ及び１１０−ｂに重複する可能性のある通信カバレッジをそれぞれ提供することができる。いくつかの場合には、基地局１０５−ａと基地局１０５−ｂとを並置してもよい。
【００２１】
図１に示されるシステム１００は異なるＲＡＴをハンドオーバーするように構成されてもよい。例えば、基地局１０５−ａ及び基地局１０５−ｂのそれぞれのサポートするＲＡＴが異なるように設定し、ＵＥ  １１５−ａが基地局１０５−ａとの接続モードにある場合、ＵＥ  １１５−ａは第１ＲＡＴによって通信リンク１２５−ａを介して基地局１０５−ａからシステム情報メッセージを受信することができる。通信リンク１２５−ａは基地局１０５−ａとＵＥ  １１５−ａとの間の無線リンクと称され、又は基地局１０５−ａとＵＥ  １１５−ａとの間の無線リンクを含んでもよい。ＵＥ  １１５−ａは更に異なるＲＡＴをハンドオーバーし、例えば基地局１０５−ａから基地局１０５−ｂまでハンドオーバーしてもよい。この時、基地局１０５−ａは第１ＲＡＴを利用すると識別されてもよく、基地局１０５−ｂは第２ＲＡＴを利用すると識別されてもよい。
【００２２】
図１に示されるシステム１００については、ＵＥ  １１５−ａは基地局１０５−ａから基地局１０５−ｂまでのハンドオーバー過程において、ＬＴＥ／ＬＴＥ−Ａを例とすれば、セルレベルのＰＲＡＣＨ構成を提供することができるが、５Ｇ  ＮＲにおいて、ビームレベルのＰＲＡＣＨ構成を提供することができる。ＮＲにおける１つのビームのカバレッジできる領域がＬＴＥ／ＬＴＥ−Ａにおけるセル（つまり、１つのセルを含む複数の伝送ポイント（ＴＲＰ：Ｔｒａｎｓｍｉｓｓｉｏｎ  Ｐｏｉｎｔ）があってもよく、且つ１つのＴＲＰにおいて複数のビームがあってもよい）より遥かに狭いため、ハンドオーバー過程において複数の専用ＰＲＡＣＨリソースをＵＥに提供する必要がある。なお、専用リソースを有するビームの無線周波数品質が低く、例えば無線周波数条件が極めて高い周波数で変化する場合、ＵＥがネットワークにアクセスしていれば、ネットワークに割り当てられた専用ＲＡＣＨリソースがＵＥに適用しない可能性があり、ＵＥがより低いビーム品質で専用リソースを使用して目標セルにアクセスすることがなく、ひいては専用リソースを使用して目標セルにアクセスできないことになる。この場合、ＵＥが共通リソースを有する他のビームを使用してターゲットネットワークノードにアクセスする必要がある。
【００２３】
上記問題に対して、本願の実施例はＵＥがアクセスリソースを選択することを指導するよう、ハンドオーバー過程において端末装置に必要な補助情報を提供できることが望まれている。これに基づき、以下に図面を参照しながら本願の実施例の具体的な解決手段を説明する。
【００２４】
図２には本願の実施例に係るリソース選択方法のフローチャートを示す。前記方法は図１に示されるシステムにおける端末装置に適用されてもよく、前記方法はブロック２０１〜２０２における操作を含んでもよい。
【００２５】
ブロック２０１では、第１アクセスリソースの補助情報を取得し、前記第１アクセスリソースが専用アクセスリソース及び共通アクセスリソースのうちの少なくとも１つを含み、前記補助情報が、前記端末装置のリソース選択を補助するために使用される。
【００２６】
ブロック２０２では、前記第１アクセスリソースの補助情報及び前記第１アクセスリソースのリソース評価情報に基づいて前記第１アクセスリソースから第２アクセスリソースを確定し、前記第２アクセスリソースがハンドオーバーの実行に使用される。
【００２７】
図２に示される技術案では、第１アクセスリソースは第２アクセスリソースを含む。用語「リソース」はハンドオーバー過程においてターゲットネットワークノードにアクセスする媒体を指してもよい。例えば、図１に示されるシステムにおける基地局１０５を例とすれば、端末装置が基地局１０５−ａからターゲットネットワークノード（すなわち、基地局１０５−ｂ）までハンドオーバーすることが望まれている場合、前記システムがＬＴＥ／ＬＴＥ−Ａシステムに対応すれば、端末装置がハンドオーバー過程においてアクセスするよう、基地局１０５−ｂは複数のセルを提供することができる。前記システムが５Ｇ  ＮＲシステムに対応すれば、基地局１０５−ｂはセルレベルのアクセスリソースを提供することができるだけでなく、ビームレベルのアクセスリソースを提供することもできる。つまり、５Ｇ  ＮＲシステムにおいて、端末装置はビームレベルのアクセスリソースによって基地局１０５−ｂにアクセスすることができる。端末装置がハンドオーバー過程において品質の優れたアクセスリソースによってターゲットネットワークノードにアクセスするように確保するために、端末装置はターゲットネットワークノードの提供する各第１アクセスリソースの補助情報を取得し、その後、第１アクセスリソースの補助情報及び従来のリソース評価情報に基づいて第１アクセスリソースからターゲットネットワークノードにアクセスするための第２アクセスリソースを確定することができる。ただし、第１アクセスリソースは専用アクセスリソース、例えば専用ＲＡＣＨリソースであってもよく、共通アクセスリソース、例えば共通ＲＡＣＨリソースであってもよく、更に専用アクセスリソース及び共通アクセスリソースを含んでもよい。本願の実施例は制限しない。従って、図２に示される技術案を用いることにより、端末装置はハンドオーバー過程において専用アクセスリソースを選択してアクセスすることができるだけでなく、最適なビームリソースを選択してアクセスすることもできる。
【００２８】
本願の少なくとも１つの実施例において、各第１アクセスリソースのリソース評価情報はセル信号を受信するための最小閾値Ｑｒｘｌｅｖｍｉｎ及び最低品質値Ｑｑｕａｌｍｉｎのうちの少なくとも１つを含む。ただし、リソース評価情報は各第１アクセスリソースの品質を評価するために用いられてもよい。本実現方式における列挙したリソース評価情報は一般的にシステム情報、例えばＳＩＢ１によってＵＥにブロードキャストする。前記リソース評価情報に基づき、一般的にＩＤＬＥ状態におけるセル又はビーム選択過程において対応するオフセット値を設定し、それによりＵＥはこれらのオフセット値及び対応するＱｒｘｌｅｖｍｉｎ又はＱｑｕａｌｍｉｎ値に基づいてセル又はビームを選択してアクセスすることができる。しかしながら、ハンドオーバー過程については、ハンドオーバー過程に要求される信号レベルがＩＤＬＥ状態におけるリソースの選択に要求される信号レベルと異なるため、ハンドオーバー過程におけるリソース選択に対して付加オフセット値を設定する必要がある。本願の実施例において、１つの場合には、前記補助情報は各第１アクセスリソースのＱｒｘｌｅｖｍｉｎ値に対応する第１オフセット値及び各第１アクセスリソースのＱｑｕａｌｍｉｎ値に対応する第２オフセット値のうちの少なくとも１つを含んでもよい。
【００２９】
なお、上記実現方式における列挙したリソース評価情報はある程度で第１アクセスリソースの品質を評価するために用いられてもよく、他の変更例では、各第１アクセスリソースのＱｒｘｌｅｖｍｉｎ値に対応する第１オフセット値又は各第１アクセスリソースのＱｑｕａｌｍｉｎ値に対応する第２オフセット値は第１アクセスリソースのＱｒｘｌｅｖｍｉｎ値又はＱｑｕａｌｍｉｎ値とともに各第１アクセスリソースのハンドオーバー過程における品質を示してもよい。品質を客観的に評価するために、他の場合には、補助情報は更にリソース選択のために確定した閾値であってもよい。
【００３０】
上記２種類の状況をまとめることにより、本願の実施例における補助情報はハンドオーバー過程においてリソース選択を行うための閾値、各第１アクセスリソースのＱｒｘｌｅｖｍｉｎ値に対応する第１オフセット値及び各第１アクセスリソースのＱｑｕａｌｍｉｎ値に対応する第２オフセット値のうちの少なくとも１つを含んでもよい。
【００３１】
ただし、補助情報におけるハンドオーバー過程においてリソース選択を行うための閾値は従来のＱｒｘｌｅｖｍｉｎ値及び／又はＱｑｕａｌｍｉｎ値を再利用して取得した閾値であってもよいし、新しい付加閾値ＰＲＡＣＨｌｅｖｍｉｎであってもよい。なお、説明すべきなのは、上記補助情報はリソース評価情報とともにシステム情報に含まれて端末装置に送信されてもよい。従って、本願の少なくとも１つの実施例において、ブロック２０１における第１アクセスリソースの補助情報を取得する操作は、ネットワーク装置から送信された第１システム情報を受信することを含んでもよい。前記第１システム情報は第１アクセスリソースの補助情報を含むだけでなく、更に、第１アクセスリソースのＱｒｘｌｅｖｍｉｎ値及び第１アクセスリソースのＱｑｕａｌｍｉｎ値のうちの少なくとも１つを含む。１つの具体的な実施形態において、前記第１システム情報は例えばＳＩＢ１であってもよい。
【００３２】
補助情報が第１アクセスリソースの第１オフセット値及び第１アクセスリソースの第２オフセット値のうちの少なくとも１つのみを含む場合、この２種類のオフセット値がそれぞれ第１アクセスリソースのＱｒｘｌｅｖｍｉｎ値及びＱｑｕａｌｍｉｎ値に対応するため、補助情報が第１システム情報と異なる第２システム情報に含まれて端末装置に送信されてもよい。従って、他の代替例では、ブロック２０１における第１アクセスリソースの補助情報を取得する操作は、ネットワーク装置から送信された第１システム情報及び第２システム情報を受信することを含んでもよく、第１システム情報が第１アクセスリソースのＱｒｘｌｅｖｍｉｎ値及びＱｑｕａｌｍｉｎ値のうちの少なくとも１つを含んでもよく、第２システム情報が第１アクセスリソースの補助情報を含んでもよい。第１システム情報はＳＩＢ１であってもよく、第２システム情報はＳＩＢ１以外の他のＳＩＢ、例えばＳＩＢ２であってもよいと理解される。
【００３３】
アクセス過程において、実行主体としての端末装置はリソース選択を実行し、補助情報は端末装置により確定されてもよい。他の代替例では、ブロックＳ２０１における第１アクセスリソースの補助情報を取得する操作は、前記端末装置の能力情報に基づいて各第１アクセスリソースのＱｒｘｌｅｖｍｉｎ値に対する第１オフセット値及び各第１アクセスリソースのＱｑｕａｌｍｉｎ値に対する第２オフセット値のうちの少なくとも１つを確定することを含んでもよい。
【００３４】
以上によれば、補助情報はハンドオーバー過程においてリソース選択を行うための閾値を含んでもよい。他の代替例では、ブロックＳ２０１における第１アクセスリソースの補助情報を取得する操作は、前記補助情報が含まれる無線リソース制御（ＲＲＣ：ｒａｄｉｏ  ｒｅｓｏｕｒｃｅ  ｃｏｎｔｒｏｌ）専用シグナリングを受信することを含んでもよい。前記ＲＲＣ専用シグナリングはハンドオーバー過程においてネットワーク装置がＵＥへ送信すべきＲＲＣシグナリングであってもよく、本実施例ではここで詳細な説明は省略すると理解される。
【００３５】
本願の実施例の具体的な実施過程において、ブロック２０２における操作は補助情報の内容によって異なる実現方式で実行されてもよい。
【００３６】
少なくとも１つの実施例において、補助情報が第１アクセスリソースの第１オフセット値及び第１アクセスリソースの第２オフセット値のうちの少なくとも１つを含む場合、第１アクセスリソースの補助情報及び前記第１アクセスリソースのリソース評価情報に基づいて第１アクセスリソースから第２アクセスリソースを確定することは、以下の操作を含んでもよい。
【００３７】
第１アクセスリソースのＱｒｘｌｅｖｍｉｎ値及び第１アクセスリソースの各Ｑｒｘｌｅｖｍｉｎ値に対応する第１オフセット値、並びに第１アクセスリソースのＱｑｕａｌｍｉｎ値及び第１アクセスリソースの各Ｑｑｕａｌｍｉｎ値に対応する第２オフセット値のうちの少なくとも１つに基づいて前記第１アクセスリソースの品質評価パラメータを確定する。前記品質評価パラメータが第１アクセスリソースの品質を示してもよい。
【００３８】
品質評価パラメータに基づいて第１アクセスリソースにおける品質の最適なリソースを第２アクセスリソースとして確定する。
【００３９】
上記実施例において、説明すべきなのは、アクセスリソースがビームレベルである場合、ターゲットネットワークノードは複数のビームを提供することができる。これらのビームの一部が専用ランダムアクセスＲＡＣＨリソースに属するが、残りが共通ＲＡＣＨリソースに属する。ハンドオーバー過程に適用しない専用ＲＡＣＨリソース（例えば、品質の低い専用ＲＡＣＨリソース）によってアクセスすることを回避するために、端末装置は第１アクセスリソースのＱｒｘｌｅｖｍｉｎ値及びＱｑｕａｌｍｉｎ値のうちの少なくとも１つに基づいて第１アクセスリソースに対応する第１オフセット値又は第２オフセット値とともに第１アクセスリソースの品質を評価して、品質の高いビームを選択してアクセスすることができる。選択されたビームが専用ＲＡＣＨリソースに属してもよいし、共通ＲＡＣＨリソースに属してもよい。従って、ハンドオーバー過程において高品質の専用リソースがない場合、端末装置は依然として高品質の共通リソースによってターゲットネットワークノードにアクセスすることができる。当該実施例の具体的な実現では、品質評価パラメータに基づいてアクセスリソースをレベル分けすることができることになり、レベルが高ければ高いほど、アクセスリソースの品質が高くなる。従って、品質評価パラメータに基づき、１つ又は複数の高レベルの第１アクセスリソースを品質の最適なリソースとして確定することができる。高レベルの第１アクセスリソースの数が１より大きい場合、１つの選択ポリシーとして、高レベルの第１アクセスリソースから第２アクセスリソースをランダムに選択してもよいと理解される。当業者が他の適用できる選択ポリシーを選択してもよく、ここで詳細な説明は省略する。
【００４０】
少なくとも１つの代替例では、補助情報が第１アクセスリソースの第１オフセット値及び第１アクセスリソースの第２オフセット値のうちの少なくとも１つと、ハンドオーバー過程においてリソース選択を行うための閾値とを含む場合、第１アクセスリソースの補助情報及び第１アクセスリソースのリソース評価情報に基づいて第１アクセスリソースから第２アクセスリソースを確定することは、以下の操作を含んでもよい。
【００４１】
第１アクセスリソースのＱｒｘｌｅｖｍｉｎ値及び第１アクセスリソースの各Ｑｒｘｌｅｖｍｉｎ値に対応する第１オフセット値、並びに第１アクセスリソースのＱｑｕａｌｍｉｎ値及び第１アクセスリソースの各Ｑｑｕａｌｍｉｎ値に対応する第２オフセット値のうちの少なくとも１つに基づいて第１アクセスリソースの品質評価パラメータを確定し、前記品質評価パラメータが第１アクセスリソースの品質を示す。
【００４２】
品質評価パラメータが閾値を超える第１アクセスリソースを第２アクセスリソースとして確定する。
【００４３】
当該実施例において、第１アクセスリソースの品質を定量的に評価するために、閾値を設定してもよい。品質評価パラメータが前記閾値を超えるリソースは品質の最適なリソースであると見なされてもよく、従って、前記リソースはハンドオーバーを実行するための第２アクセスリソースとして確定されてもよい。品質評価パラメータが前記閾値を超えるリソース数は１より大きい場合、依然として前述の実施例に説明される選択ポリシーを用いて第２アクセスリソースを選択してもよく、ここで詳細な説明は省略すると理解される。
【００４４】
少なくとも１つの可能な実施例において、補助情報がハンドオーバー過程においてリソース選択を行うための閾値を含む場合、第１アクセスリソースの補助情報及び第１アクセスリソースのリソース評価情報に基づいて第１アクセスリソースから第２アクセスリソースを確定することは、以下の操作を含んでもよい。
【００４５】
第１アクセスリソースのＱｒｘｌｅｖｍｉｎ値又は第１アクセスリソースのＱｑｕａｌｍｉｎ値を前記閾値と比較する。
【００４６】
Ｑｒｘｌｅｖｍｉｎ値及び／又はＱｑｕａｌｍｉｎ値が前記閾値を超えるリソースを第２アクセスリソースとして確定する。
【００４７】
当該実施例において、第１アクセスリソースのＱｒｘｌｅｖｍｉｎ値又はＱｑｕａｌｍｉｎ値はオフセット値と組み合わせずに各第１アクセスリソースの品質を独立して示してもよい。従って、第１アクセスリソースのＱｒｘｌｅｖｍｉｎ値又はＱｑｕａｌｍｉｎ値を閾値と直接比較して、第１アクセスリソースにおける高品質のリソースを第２アクセスリソースとして確定することができる。具体的な選択ポリシーは前述の実施例に説明されるポリシーと同様であってもよく、ここで詳細な説明は省略する。
【００４８】
図２に示される前述の技術案と同様の発明の構想に基づき、図３には本願の実施例に係るリソース選択方法のフローチャートを示す。前記方法はネットワーク装置に適用されてもよい。前記ネットワーク装置は具体的にハンドオーバー過程におけるターゲットネットワークノード、例えば図１に示されるシステムにおける基地局１０５−ｂを指してもよい。前記方法はブロック３０１〜３０２における操作を含んでもよい。
【００４９】
ブロック３０１では、ハンドオーバー過程において端末装置へ第１アクセスリソースのリソース評価情報を送信する。
【００５０】
本願の実施例において、第１アクセスリソースは専用アクセスリソース及び共通アクセスリソースのうちの少なくとも１つを含んでもよく、各第１アクセスリソースのリソース評価情報はセル信号を受信するための最小閾値Ｑｒｘｌｅｖｍｉｎ及び最低品質値Ｑｑｕａｌｍｉｎのうちの少なくとも１つを含んでもよい。
【００５１】
ブロック３０２では、端末装置へ第１アクセスリソースの補助情報を送信し、前記補助情報が端末装置のリソース選択を補助することに使用される。
【００５２】
ただし、ネットワーク装置は端末装置へ補助情報を送信することができ、それにより端末装置はリソース評価情報及び補助情報に基づいてアクセスリソースから最適なアクセスリソースを選択することができる。
【００５３】
図３に示される技術案によれば、少なくとも１つの実施例において、補助情報はハンドオーバー過程においてリソース選択を行うための閾値、各第１アクセスリソースのＱｒｘｌｅｖｍｉｎ値に対応する第１オフセット値及び各第１アクセスリソースのＱｑｕａｌｍｉｎ値に対応する第２オフセット値のうちの少なくとも１つを含んでもよい。
【００５４】
前記補助情報は第１アクセスリソースのリソース評価情報とともに端末装置に送信されてもよい。一代替例では、前記補助情報及びリソース評価情報は端末装置に個別に送信されてもよい。具体的に、端末装置へ第１アクセスリソースの補助情報を送信することは、以下を含んでもよい。
【００５５】
端末装置へ第１システム情報を送信し、第１システム情報は第１アクセスリソースの補助情報を含むだけでなく、更に、第１アクセスリソースのＱｒｘｌｅｖｍｉｎ値及び前記第１アクセスリソースのＱｑｕａｌｍｉｎ値のうちの少なくとも１つを含む。
【００５６】
少なくとも１つの可能な実施例において、補助情報が第１アクセスリソースの第１オフセット値及び第１アクセスリソースの第２オフセット値のうちの少なくとも１つを含むことを確定した場合、端末装置へ第１アクセスリソースの補助情報を送信することは、以下を含んでもよい。
【００５７】
端末装置へ第１システム情報及び第２システム情報を送信し、第１システム情報が第１アクセスリソースのＱｒｘｌｅｖｍｉｎ値及びＱｑｕａｌｍｉｎ値のうちの少なくとも１つを含み、第２システム情報が第１アクセスリソースの補助情報を含む。
【００５８】
少なくとも１つの可能な実施例において、補助情報がハンドオーバー過程においてリソース選択を行うための閾値を含むことを確定した場合、端末装置へ第１アクセスリソースの補助情報を送信することは、端末装置へ前記補助情報を含むＲＲＣ専用シグナリングを送信することを含んでもよい。
【００５９】
ただし、図３に示される技術案の具体的な実現過程は図２に示される技術案の対応部分を参照してもよく、ここで詳細な説明は省略する。
【００６０】
前述の図２及び図３に示される技術案に基づき、図４には本願の実施例に係るリソース選択方法の実現プロセスを示す。前記リソース選択方法の具体的な実現は図１に示されるシステムに適用されてもよく、且つ以下を含む。
【００６１】
４０１では、ネットワーク装置が端末装置へ第１アクセスリソースのＱｒｘｌｅｖｍｉｎ値及びＱｑｕａｌｍｉｎ値のうちの少なくとも１つを送信する。
【００６２】
第１アクセスリソースは専用アクセスリソース及び共通アクセスリソースにおける少なくとも１つを含んでもよい。前記操作の具体的な実現では、Ｑｒｘｌｅｖｍｉｎ値及び／又はＱｑｕａｌｍｉｎ値はＳＩＢ１に含まれて端末装置へブロードキャストされてもよい。
【００６３】
４０２では、ネットワーク装置が端末装置へ第１アクセスリソースの補助情報を送信する。
【００６４】
ただし、前記補助情報は端末装置がＱｒｘｌｅｖｍｉｎ値及び／又はＱｑｕａｌｍｉｎ値に基づいてハンドオーバー過程を行う際のリソース選択の補助に使用されてもよい。
【００６５】
具体的に、前記補助情報はハンドオーバー過程においてリソース選択を行うための閾値、各第１アクセスリソースのＱｒｘｌｅｖｍｉｎ値に対応する第１オフセット値及び各第１アクセスリソースのＱｑｕａｌｍｉｎ値に対応する第２オフセット値のうちの少なくとも１つを含んでもよい。
【００６６】
前記操作の具体的な実現では、前記補助情報はＱｒｘｌｅｖｍｉｎ値及び／又はＱｑｕａｌｍｉｎ値とともにＳＩＢ１に含まれて端末装置へブロードキャストされてもよい。つまり、４０１及び４０２における操作は同じＳＩＢにより実行されてもよい。可能な実施形態において、補助情報が第１アクセスリソースの第１オフセット値及び／又は第１アクセスリソースの第２オフセット値のみを含むことを確定した場合、補助情報はＳＩＢ１以外の他のＳＩＢに含まれて端末装置へブロードキャストされてもよい。他の可能な実施形態において、補助情報がハンドオーバー過程においてリソース選択を行うための閾値のみを含む場合、前記補助情報はＲＲＣ専用シグナリングに含まれて端末装置へ送信されてもよい。前記ＲＲＣ専用シグナリングは例えばハンドオーバー過程において端末装置へ送信すべきＲＲＣシグナリングであってもよい。
【００６７】
４０３では、端末装置が第１アクセスリソースの補助情報及び第１アクセスリソースのリソース評価情報に基づいて第１アクセスリソースからハンドオーバーを実行するための第２アクセスリソースを確定する。
【００６８】
４０３における操作は補助情報に含まれる内容によって異なる実現方式を用いる。
【００６９】
少なくとも１つの実施例において、補助情報が第１アクセスリソースの第１オフセット値及び／又は第２オフセット値を含む場合、４０３における操作は以下を含んでもよい。
【００７０】
第１アクセスリソースのＱｒｘｌｅｖｍｉｎ値及び第１オフセット値、並びに第１アクセスリソースのＱｑｕａｌｍｉｎ値及び第２オフセット値のうちの少なくとも１つに基づいて第１アクセスリソースの品質評価パラメータを確定する。前記品質評価パラメータが第１アクセスリソースの品質を示してもよい。
【００７１】
前記品質評価パラメータに基づいて第１アクセスリソースにおける品質の最適なリソースを第２アクセスリソースとして確定する。
【００７２】
少なくとも１つの可能な実施例において、補助情報が第１アクセスリソースの第１オフセット値及び第１アクセスリソースの第２オフセット値のうちの少なくとも１つと、ハンドオーバー過程においてリソース選択を行うための閾値とを含む場合、４０３における操作は以下を含んでもよい。
【００７３】
第１アクセスリソースのＱｒｘｌｅｖｍｉｎ値及び第１オフセット値、並びに第１アクセスリソースのＱｑｕａｌｍｉｎ値及び第２オフセット値のうちの少なくとも１つに基づいて第１アクセスリソースの品質評価パラメータを確定する。
【００７４】
品質評価パラメータが閾値を超えるリソースを第２アクセスリソースとして確定する。
【００７５】
少なくとも１つの可能な実施例において、補助情報がハンドオーバー過程においてリソース選択を行うための閾値を含む場合、４０３における操作は具体的に以下を含んでもよい。
【００７６】
第１アクセスリソースのＱｒｘｌｅｖｍｉｎ値又は第１アクセスリソースのＱｑｕａｌｍｉｎ値を前記閾値と比較する。
【００７７】
Ｑｒｘｌｅｖｍｉｎ値及び／又はＱｑｕａｌｍｉｎ値が前記閾値を超えるリソースを第２アクセスリソースとして確定する。
【００７８】
上記実施例の詳細な説明は図２に示される技術案の説明を参照してもよく、ここで詳細な説明は省略すると理解される。
【００７９】
図４に示される方法の実現プロセスによれば、端末装置はネットワーク装置の提供する補助情報及びリソース評価情報に基づいてアクセスリソースに対して品質評価を行って、ハンドオーバー過程に適用するアクセスリソースを選択するよう、アクセスリソースの選択を指導することができ、これにより、端末装置はハンドオーバー過程において最適なビームリソースを選択してアクセスすることができる。
【００８０】
本願の前述の実施例と同様の発明の構想に基づき、図５には本願の実施例に係る端末装置５０を示す。前記端末装置は取得モジュール５０１及び確定モジュール５０２を備える。
【００８１】
取得モジュール５０１は第１アクセスリソースの補助情報を取得するように構成される。第１アクセスリソースは専用アクセスリソース及び／又は共通アクセスリソースを含んでもよく、補助情報が前記端末装置のリソース選択を補助することに使用されてもよい。
【００８２】
確定モジュール５０２は第１アクセスリソースの補助情報及び第１アクセスリソースのリソース評価情報に基づいて第１アクセスリソースから第２アクセスリソースを確定するように構成され、第２アクセスリソースがハンドオーバーの実行に使用される。
【００８３】
図５に示される端末装置の少なくとも１つの実現方式では、各第１アクセスリソースのリソース評価情報はセル信号を受信するための最小閾値Ｑｒｘｌｅｖｍｉｎ及び／又は最低品質値Ｑｑｕａｌｍｉｎを含む。
【００８４】
上記実現方式では、補助情報はハンドオーバー過程においてリソース選択を行うための閾値、各第１アクセスリソースのＱｒｘｌｅｖｍｉｎ値に対応する第１オフセット値及び各第１アクセスリソースのＱｑｕａｌｍｉｎ値に対応する第２オフセット値のうちの少なくとも１つを含む。
【００８５】
少なくとも１つの実施例において、取得モジュール５０１は、更に、ネットワーク装置から送信された第１システム情報を受信するように構成される。前記第１システム情報は第１アクセスリソースの補助情報を含んでもよく、更に、第１アクセスリソースのＱｒｘｌｅｖｍｉｎ値及び第１アクセスリソースのＱｑｕａｌｍｉｎ値のうちの少なくとも１つを含む。
【００８６】
少なくとも１つの実施例において、補助情報が第１アクセスリソースの第１オフセット値及び第１アクセスリソースの第２オフセット値のうちの少なくとも１つを含む場合、取得モジュール５０１は、更に、ネットワーク装置から送信された第１システム情報及び第２システム情報を受信するように構成される。前記第１システム情報は第１アクセスリソースのＱｒｘｌｅｖｍｉｎ値及びＱｑｕａｌｍｉｎ値のうちの少なくとも１つを含んでもよく、前記第２システム情報は第１アクセスリソースの補助情報を含んでもよい。
【００８７】
少なくとも１つの実施例において、補助情報が第１アクセスリソースの第１オフセット値及び第１アクセスリソースの第２オフセット値のうちの少なくとも１つを含む場合、取得モジュール５０１は、更に、端末装置の能力情報に基づいて各第１アクセスリソースのＱｒｘｌｅｖｍｉｎ値に対する第１オフセット値及び各第１アクセスリソースのＱｑｕａｌｍｉｎ値に対する第２オフセット値のうちの少なくとも１つを確定するように構成される。
【００８８】
少なくとも１つの実施例において、補助情報がハンドオーバー過程においてリソース選択を行うための閾値を含む場合、取得モジュール５０１は、更に、前記補助情報が含まれるＲＲＣ専用シグナリングを受信するように構成される。
【００８９】
少なくとも１つの実施例において、確定モジュール５０２は、更に、補助情報が第１アクセスリソースの第１オフセット値及び第１アクセスリソースの第２オフセット値のうちの少なくとも１つを含むことを確定することに応じて、第１アクセスリソースのＱｒｘｌｅｖｍｉｎ値及び第１アクセスリソースの各Ｑｒｘｌｅｖｍｉｎ値に対応する第１オフセット値、並びに第１アクセスリソースのＱｑｕａｌｍｉｎ値及び第１アクセスリソースの各Ｑｑｕａｌｍｉｎ値に対応する第２オフセット値のうちの少なくとも１つに基づいて第１アクセスリソースの品質評価パラメータを確定するように構成され、前記品質評価パラメータが前記第１アクセスリソースの品質を示す。その後、前記品質評価パラメータに基づき、確定モジュール５０２は第１アクセスリソースにおける品質の最適なリソースを第２アクセスリソースとして確定してもよい。
【００９０】
少なくとも１つの実施例において、確定モジュール５０２は、更に、補助情報が第１アクセスリソースの第１オフセット値及び第１アクセスリソースの第２オフセット値のうちの少なくとも１つと、ハンドオーバー過程においてリソース選択を行うための閾値とを含むことを確定することに応じて、第１アクセスリソースのＱｒｘｌｅｖｍｉｎ値及び第１アクセスリソースの各Ｑｒｘｌｅｖｍｉｎ値に対応する第１オフセット値、並びに第１アクセスリソースのＱｑｕａｌｍｉｎ値及び第１アクセスリソースの各Ｑｑｕａｌｍｉｎ値に対応する第２オフセット値のうちの少なくとも１つに基づいて第１アクセスリソースの品質評価パラメータを確定するように構成され、前記品質評価パラメータが前記第１アクセスリソースの品質を示す。その後、確定モジュール５０２は品質評価パラメータが前記閾値を超えるリソースを第２アクセスリソースとして確定してもよい。
【００９１】
少なくとも１つの実施例において、補助情報がハンドオーバー過程においてリソース選択を行うための閾値を含むことに応じて、確定モジュール５０２は、更に、第１アクセスリソースのＱｒｘｌｅｖｍｉｎ値又は第１アクセスリソースのＱｑｕａｌｍｉｎ値を前記閾値と比較して、Ｑｒｘｌｅｖｍｉｎ値及び／又はＱｑｕａｌｍｉｎ値が前記閾値を超えるリソースを第２アクセスリソースとして確定するように構成される。
【００９２】
本願の実施例において、説明に用いた「モジュール」等は回路、プロセッサ、サブプログラム、ソフトウェアプログラム等であってもよく、且つ、モジュールであってもよいし、モジュール化されていないものであってもよい。
【００９３】
なお、本願の実施例における各モジュールは１つの処理ユニットに統合されてもよく、各ユニットは独立して物理的に存在してもよく、２つ又は２つ以上のユニットは１つのユニットに統合されてもよい。上記統合されたユニットはハードウェアの形式で実現されてもよいし、ソフトウェア機能モジュールの形式で実現されてもよい。
【００９４】
前記統合されたユニットはソフトウェア機能ユニットの形式で実現され、独立した製品として販売又は使用されるときは、１つのコンピュータ可読記憶媒体に記憶されてもよい。このような理解に基づき、本願の技術案の本質的又は従来技術に貢献する部分はソフトウェア製品の形式で具現されてもよく、前記コンピュータソフトウェア製品は、１台のコンピュータ装置（パーソナルコンピュータ、サーバ又はネットワーク機器等）に本願の実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ  Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【００９５】
本願の実施例はコンピュータ記憶媒体を提供し、前記コンピュータ記憶媒体にリソース選択のためのプログラムが記憶され、前記リソース選択のためのプログラムが少なくとも１つのプロセッサにより実行されるとき、プロセッサが図２に示されるリソース選択方法を実現する。
【００９６】
端末装置５０及びコンピュータ記憶媒体に基づき、図６には本願の実施例に係る端末装置５０のハードウェアコンポーネントの構造図を示す。前記端末装置５０は第１ネットワークインターフェース６０１、第１メモリ６０２及び第１プロセッサ６０３を備えてもよい。各コンポーネントがバスシステム６０４によって一体に結合される。バスシステム６０４はこれらのコンポーネント間の接続通信を実現するように構成される。バスシステム６０４はデータバスのほか、更に電源バス、制御バス及び状態信号バスを含む。明確に説明するために、図６では様々なバスがいずれもバスシステム６０４と記される。
【００９７】
第１ネットワークインターフェース６０１は他の外部ネットワーク要素との間に情報を送受信するとき、信号を送受信するように構成されてもよい。
【００９８】
第１メモリ６０２は第１プロセッサ６０３において実行されるコンピュータプログラムを記憶するように構成されてもよい。
【００９９】
第１プロセッサ６０３は前記コンピュータプログラムを実行するとき、以下の操作を実行する。第１アクセスリソースの補助情報を取得し、第１アクセスリソースが専用アクセスリソース及び共通アクセスリソースのうちの少なくとも１つを含み、補助情報が、前記端末装置のリソース選択を補助するために使用される。第１アクセスリソースの補助情報及び第１アクセスリソースのリソース評価情報に基づいて第１アクセスリソースから第２アクセスリソースを確定し、第２アクセスリソースがハンドオーバーの実行に使用される。
【０１００】
本願の実施例における第１メモリ６０２は揮発性メモリであっても、又は不揮発性メモリであってもよく、又は、揮発性メモリ及び不揮発性メモリの両方を含んでもよいと理解される。不揮発性メモリは読み出し専用メモリ（ＲＯＭ：Ｒｅａｄ−Ｏｎｌｙ  Ｍｅｍｏｒｙ）、プログラム可能読み出し専用メモリ（ＰＲＯＭ：Ｐｒｏｇｒａｍｍａｂｌｅ  ＲＯＭ）、消去可能プログラム可能読み出し専用メモリ（ＥＰＲＯＭ：Ｅｒａｓａｂｌｅ  ＰＲＯＭ）、電気的消去可能プログラム可能読み出し専用メモリ（ＥＥＰＲＯＭ：Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、シンクロナスダイナミックランダムアクセスメモリ（ＳＤＲＡＭ：Ｓｙｎｃｈｒｏｎｏｕｓ  ＤＲＡＭ）、ダブルデータレートシンクロナスダイナミックランダムアクセスメモリ（ＤＤＲＳＤＲＡＭ：Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲＲＡＭ：Ｄｉｒｅｃｔ  Ｒａｍｂｕｓ  ＲＡＭ）が利用可能である。本明細書に説明されるシステム及び方法のメモリはこれらのメモリ及び任意の他の適切なタイプのメモリを含んでもよいが、それらに限らないように意図されるものである。
【０１０１】
第１プロセッサ６０３は信号処理能力を有する集積回路チップであってもよい。実現過程において、方法実施例の各操作は第１プロセッサ６０３におけるハードウェアの集積論理回路又はソフトウェア形式の命令で行われてもよい。第１プロセッサ６０３は汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は前記プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。前記記憶媒体は第１メモリ６０２に位置し、第１プロセッサ６０３は第１メモリ６０２における情報を読み取り、且つそのハードウェアと組み合わせて上記方法のステップを行う。
【０１０２】
本明細書に説明されるこれらの実施例はハードウェア、ソフトウェア、ファームウェア、ミドルウェア、マイクロコード又はそれらの組み合わせで実現できると理解される。ハードウェアで実現する場合、処理ユニットは１つ又は複数のＡＳＩＣ、ＤＳＰ、プログラマブルロジックデバイス（ＰＬＤ：Ｐｒｏｇｒａｍｍａｂｌｅ  Ｌｏｇｉｃ  Ｄｅｖｉｃｅ）、ＦＰＧＡ、汎用プロセッサ、本願に記載の機能を実行するための他の電子ユニット又はそれらの組み合わせにおいて実現されてもよい。ソフトウェアで実現する場合、本明細書に記載の機能のモジュール（例えば、過程、関数等）によって本明細書に記載の技術を実現してもよい。
【０１０３】
本願の具体的な実施例において、端末装置５０における第１プロセッサ６０３は、更に、図２に示されるリソース選択方法の操作を実現するよう、メモリに記憶されるコンピュータプログラムを実行するように構成される。重複を避けるため、ここで詳細な説明は省略する。
【０１０４】
本願の上記実施例と同様の技術の構想に基づき、図７には本願の実施例に係るネットワーク装置７０を示す。前記ネットワーク装置７０は第１送信モジュール７０１及び第２送信モジュール７０２を備える。
【０１０５】
第１送信モジュール７０１はハンドオーバー過程において端末装置へ第１アクセスリソースのリソース評価情報を送信するように構成される。第１アクセスリソースが専用アクセスリソース及び共通アクセスリソースのうちの少なくとも１つを含む。
【０１０６】
第２送信モジュール７０２は端末装置へ第１アクセスリソースの補助情報を送信するように構成され、前記補助情報が端末装置のリソース選択を補助することに使用される。
【０１０７】
図７に示されるネットワーク装置７０の少なくとも１つの実現方式では、各第１アクセスリソースのリソース評価情報はセル信号を受信するための最小閾値Ｑｒｘｌｅｖｍｉｎ及び最低品質値Ｑｑｕａｌｍｉｎにおける少なくとも１つを含んでもよい。
【０１０８】
少なくとも１つの実施例において、補助情報はハンドオーバー過程においてリソース選択を行うための閾値、各第１アクセスリソースのＱｒｘｌｅｖｍｉｎ値に対応する第１オフセット値及び各第１アクセスリソースのＱｑｕａｌｍｉｎ値に対応する第２オフセット値のうちの少なくとも１つを含む。
【０１０９】
少なくとも１つの実施例において、第２送信モジュール７０２は、更に、端末装置へ第１システム情報を送信するように構成され、前記第１システム情報は第１アクセスリソースの補助情報を含むだけでなく、更に、第１アクセスリソースのＱｒｘｌｅｖｍｉｎ値及び第１アクセスリソースのＱｑｕａｌｍｉｎ値のうちの少なくとも１つを含む。
【０１１０】
少なくとも１つの実施例において、補助情報が第１アクセスリソースの第１オフセット値及び第１アクセスリソースの第２オフセット値のうちの少なくとも１つを含む場合、前記第２送信モジュール７０２は、更に、端末装置へ第１システム情報及び第２システム情報を送信するように構成され、前記第１システム情報が第１アクセスリソースのＱｒｘｌｅｖｍｉｎ値及びＱｑｕａｌｍｉｎ値のうちの少なくとも１つを含み、前記第２システム情報が第１アクセスリソースの補助情報を含む。
【０１１１】
少なくとも１つの実施例において、補助情報がハンドオーバー過程においてリソース選択を行うための閾値を含む場合、第２送信モジュール７０２は、更に、端末装置へ前記補助情報を含むＲＲＣ専用シグナリングを送信するように構成される。
【０１１２】
また、本願の実施例はコンピュータ記憶媒体を提供する。前記コンピュータ記憶媒体に１つ又は複数のリソース選択のためのプログラムが記憶され、図３に示される方法の操作を実現するために、前記プログラムが少なくとも１つのプロセッサにより実行されてもよい。コンピュータ記憶媒体の説明は本願の上記実施例の説明を参照してもよく、ここで詳細な説明は省略する。
【０１１３】
ネットワーク装置７０及びコンピュータ記憶媒体に基づき、図８には本願の実施例に係るネットワーク装置７０のハードウェアコンポーネントの構造図を示す。前記ネットワーク装置７０は第２ネットワークインターフェース８０１、第２メモリ８０２及び第２プロセッサ８０３を備えてもよい。各コンポーネントがバスシステム８０４によって一体に結合される。バスシステム８０４はこれらのコンポーネント間の接続通信を実現するように構成される。バスシステム８０４はデータバスのほか、更に電源バス、制御バス及び状態信号バスを含む。明確に説明するために、図８では様々なバスがいずれもバスシステム８０４と記される。
【０１１４】
第２ネットワークインターフェース８０１は他の外部ネットワーク要素と情報を送受信するとき、信号を送受信するように構成されてもよい。
【０１１５】
第２メモリ８０２は第２プロセッサ８０３において実行されるコンピュータプログラムを記憶するように構成されてもよい。
【０１１６】
第２プロセッサ８０３は前記コンピュータプログラムを実行するとき、以下の操作を実行する。ハンドオーバー過程において端末装置へ第１アクセスリソースのリソース評価情報を送信し、第１アクセスリソースが専用アクセスリソース及び共通アクセスリソースのうちの少なくとも１つを含む。端末装置へ第１アクセスリソースの補助情報を送信し、前記補助情報が端末装置のリソース選択を補助することに使用される。
【０１１７】
ネットワーク装置７０のハードウェア構造は上記実施例に説明されるコンポーネントと同様であると理解される。重複を避けるため、ここで詳細な説明は省略する。
【０１１８】
本願の具体的な実施例において、ネットワーク装置７０における第２プロセッサ８０３は、更に、図３に示されるリソース選択方法のステップを実現するよう、コンピュータプログラムを実行するように構成される。重複を避けるため、ここで詳細な説明は省略する。
【０１１９】
注意すべきなのは、衝突しない限り、本願の実施例に説明される技術案は任意に組み合わせられてもよい。以上は本願の好適な実施例であって、本発明の保護範囲を制限するためのものではない。本発明の主旨及び原則内に行われたいかなる修正、均等置換及び改良は、いずれも本発明の保護範囲内に含まれると見なされるべきである。
【産業上の利用可能性】
【０１２０】
本願の実施例において、端末装置は補助情報及び既存のリソース評価情報に基づいて品質評価を行うことができ、それによりハンドオーバー過程に適用するアクセスリソースを選択し、これにより、端末装置がハンドオーバー過程において最適なビームリソースを選択してアクセスする。
【図１】
2020535671.tif 000003
【図２】
2020535671.tif 000004
【図３】
2020535671.tif 000005
【図４】
2020535671.tif 000006
【図５】
2020535671.tif 000007
【図６】
2020535671.tif 000008
【図７】
2020535671.tif 000009
【図８】
2020535671.tif 000010
【国際調査報告】
2020535671.tif 000011
2020535671.tif 000012